(57)【特許請求の範囲】
【請求項１】
撮像装置から出力される画像信号を、カセットに収納された記録媒体に記録する画像記録装置において、
該カセットに搭載された記憶装置に記憶されている付随データから撮像装置制御情報を読み出す読出手段と、
該読出手段によって読み出された撮像装置制御情報から撮像装置設定データを生成して撮像装置へ供給する供給手段と、
撮像装置設定データに基づいて撮像装置制御情報を生成する生成手段と、
該生成手段により生成された撮像装置制御情報をカセットに搭載された記憶装置に書き込む書込手段とを備えていることを特徴とする画像記録装置。
【請求項２】
上記付随データは、ヘッダーパックと、該ヘッダーパックに後続するパックとからなるイベントを単位として構成され、かつ、読出手段は、イベント内のヘッダーパックのデータに基づいて撮像装置制御情報が記録されたイベントを識別することを特徴とする請求項１記載の画像記録装置。
【請求項３】
上記ヘッダーパック及び該ヘッダーパックに後続するパックは、いずれも固定長のデータ構造を持つことを特徴とする請求項２記載の画像記録装置。
【発明の詳細な説明】
【０００１】
【産業上の利用分野】
本発明は、撮像装置から出力される画像信号を記録する画像記録装置に関する。
【０００２】
【従来の技術】
現在、業務用或るいは民生用を問わず、撮像装置と、該撮像装置から得られた画像信号をカセット構造を備えた記録媒体に記録する画像記録装置とを組み合わせたポータブルでコンパクトな撮像記録システムが広く使用されている。そのような撮像記録システムとしては、例えば、業務用或るいは民生用のテレビカメラ一体型ビデオカセットレコーダー（ＶＣＲ）、及び民生用の所謂電子スチルカメラと呼ばれる装置等がある。
この様な撮像記録システムは、軽量化により取り扱いが便利になり、屋内及び屋外の様々な状況下で使用される機動性の高いものとなっている。
【０００３】
【発明が解決しようとする課題】
以上のように様々な状況下で使用される場合、それに応じて撮像環境も様々に変化することになるが、良好な画質を確保するためには、特に撮像装置に対して、それぞれの撮像環境に応じた適切な調整を行うことが重要である。然るに、撮像装置の撮像特性等の調整においては、調整項目が非常に多く最適な調整状態にセットするためには相当の労力を要するものであった。、
【０００４】
従って、例えば、屋外において特定の対象物を長期間にわたり繰り返し撮像するような場合、その途中で異なる被撮像体を異なる撮像条件下で撮像し、その後、再びもとの対象物を撮像しようとすると、撮像装置を再調整しなおさなければならないが、撮像装置を再び同じ状態に調整することは調整項目の多いことからかなり困難であり、この再調整を正確に行うためには多大な労力を要することになる。
【０００５】
【課題を解決するための手段】
本願発明は、上述した課題を解決するために、撮像装置から出力される画像信号を、カセットに収納された記録媒体に記録する画像記録装置において、該カセットに搭載された記憶装置に記憶されている付随データから撮像装置制御情報を読み出す読出手段と、該読出手段によって読み出された撮像装置制御情報から撮像装置設定データを生成して撮像装置へ供給する供給手段と、撮像装置設定データに基づいて撮像装置制御情報を生成する生成手段と、該生成手段により生成された撮像装置制御情報をカセットに搭載された記憶装置に書き込む書込手段とを備えている。
【０００６】
ここで、付随データを、ヘッダーパックと、該ヘッダーパックに後続するパックとからなるイベントを単位として構成し、かつ、読出手段は、イベント内のヘッダーパックのデータに基づいて撮像装置制御情報が記録されたイベントであることを識別するように構成するのが好適である。
また、ヘッダーパック及び該ヘッダーパックに後続するパックは、いずれも固定長のデータ構造とするのがデータ処理上望ましい。
【０００７】
【作用】
撮像装置を、記録媒体の各カセットごとの記録時の撮像条件に設定する動作が実行される。
撮像時の撮像装置の設定状態を記録媒体のカセットに記憶しておくことができる。
【０００８】
【実施例】
本願発明をテレビカメラ一体型ＶＣＲに適用した場合の実施例について、以下に詳細に説明する。
図３にかかるテレビカメラ一体型ＶＣＲの全体の構成を示す。この図において、テレビカメラ部分は光学系１と撮像装置５から構成され、ＶＣＲ部分は記録再生装置６とテープカセット１４から構成される。まず、このテレビカメラ一体型ＶＣＲにおける信号処理について簡単に説明する。
【０００９】
撮像素子を構成するＣＣＤ２からの撮像出力は、信号処理回路３に供給されて各種の同期信号の挿入等の処理を受け、所定のフォーマットの信号へ変換された後、記録再生装置６の信号処理回路７へ供給される。信号処理回路７においては、テープに記録するために必要な様々な処理を施した後、回転ドラム１１に搭載された記録ヘッドへ供給し、該記録ヘッドによりテープカセット１４から引き出されたテープ８上にヘリカル記録を行う。
【００１０】
ここで、記録再生装置６内に設けられているモード処理マイコン１２は、このテレビカメラ一体型ＶＣＲとユーザーとのマン・マシン・インターフェースを取り持つマイコンであり、ユーザーからのテレビカメラの各種調整及び設定に関する種々の設定入力、テレビカメラに各種の動作を行わせるための種々の動作指令、記録再生装置に対して種々の記録及び再生動作を行わせるためのユーザーからの種々の指令を受入れ、この受け入れた各種の指令に応じて撮像装置５内のカメラ制御マイコン４、並びに記録再生装置６内の信号処理マイコン９、メカ制御マイコン１０、及びＭＩＣマイコン１３との間で指令及びデータの授受を行うことによりテレビカメラ一体型ＶＣＲの全体的な制御を行う。
【００１１】
なお、カメラ制御マイコン４は、モード処理マイコン１２からの各種の指令及び入力データに基づいて光学系１、ＣＣＤ２、及び信号処理回路３の制御を行うものであり、このカメラ制御マイコン４によって行われる制御内容をブロック図で表したのが図４である。この図に示されるように、アイリス制御、ゲイン制御、フォーカス制御、ズーム制御、シャッター制御、白バランス制御、ガンマ補正等の多岐にわたって制御、調整等が実行される。また、この図におけるレンズ制御回路２５、Ａ／Ｄ変換回路２６、及び角速度センサー２７は、手振れ補正のための構成であり、本願の課題とは直接関係無いので説明は省略する。
【００１２】
また、図３における記録再生装置６の制御は、モード処理マイコン１２へ入力された各種の指令及びデータに基づいて該モード処理マイコン１２、信号処理マイコン９、メカ制御マイコン１０、及びＭＩＣマイコン１３が相互に連携をとりながら実行される。
【００１３】
一方、テープカセット１４には付随データを書き込むことのできるＩＣメモリ１５が搭載されており、このメモリＩＣ１５は、テープカセット１４が記録再生装置６に装填されると、ＭＩＣ接点（図示せず）を介して記録再生装置内のＭＩＣマイコンと接続さるように構成されている。そして、本実施例のＶＣＲにおいては、詳細な説明は省略するが、画像信号及び音声信号の記録されるテープ上にも付随データを記録するためのＡＵＸ領域が設けられており、モード処理マイコン１２は、信号処理マイコン或るいはＭＩＣマイコン１３を介して、必要に応じてテープ上或るいはＩＣメモリ１５に種々の付随データを書き込んだり読み出すことができ、この付随データを用いて記録再生装置６に対してより多種多様な動作を行わせることができるように構成されている。
【００１４】
また、この外に、テレビカメラの設定調整用の種々の情報をＩＣメモリ１５に記憶しておき、テープカセットをＶＣＲに装填したときにこの情報をＩＣメモリ１５から読み出して、この情報に基づいて直ちにテレビカメラの設定調整を行うこともできるように構成されている。なお、このＩＣメモリを本願ではＭＩＣ（Ｍｅｍｏｒｙ  ｉｎ  Ｃａｓｓｅｔｔｅ）と呼ぶ。
次に、上に述べたテープ上のＡＵＸ領域及びカセットのＭＩＣに記録される付随データの構成、及びＭＩＣのデータ構造について説明する。
【００１５】
１）  付随データの構成
付随データは、原則として、５バイトの固定長をもつパックを単位として構成されている。
そこで、このパックの構造及び種類について以下に詳述する。
パックは図５に示される５バイトの基本構造を持つ。この５バイトについて、最初のバイト（ＰＣ０）がデータの内容を示すアイテムデータ（パックヘッダーとも言う）とされる。そして、このアイテムデータに対応して後続する４バイト（ＰＣ１〜４）の書式が定められ、この書式に従って任意のデータが格納される。
【００１６】
このアイテムデータは上下４ビットずつに分割され、上位４ビットは大アイテム、下位４ビットは小アイテムと称される。そして上位４ビットの大アイテムは例えば後続データの用途を示すデータとされ、この大アイテムによってパックは図６の表に示されるように、コントロール「００００」、タイトル「０００１」、チャプター「００１０」、パート「００１１」、プログラム「０１００」、音声補助データ（ＡＡＵＸ）「０１０１」、画像補助データ（ＶＡＵＸ）「０１１０」、カメラ「０１１１」、ライン「１０００」、ソフトモード「１１１１」の１０種類のグループに展開されている。
【００１７】
このように大アイテムによって展開されたパックの各グループは、それぞれが更に小アイテム（これによって例えば後続データの具体的な内容が表される）によって１６種類のパックに展開され、結局、これらのアイテムを用いて最大２５６種類のパックを定義することができる。
なお、図６の表の中に記入されている「ＲＥＳＥＲＶＥＤ」は、追加用に残された未定義の部分を表している。従って、未だ定義されていないアイテムデータのコードを使用して新たなアイテムデータ（ヘッダー）を定義することにより、将来任意に新しいデータの記録を行うことができる。またヘッダーを読むことによりパックに格納されているデータの内容を把握できるので、パックを記録するテープ上或るいはＭＩＣ上の位置も任意に設定できる。
【００１８】
次に、パックの具体例を図７〜図１２を用いて説明する。
図７の（１）のＣＡＳＳＥＴＴＥ  ＩＤパック、及び同図の（２）のＴＡＰＥＬＥＮＧＴＨパックは、そのアイテムデータの値から分かるように図６におけるＣＯＮＴＲＯＬのグループに属するパックである。そして、ＣＡＳＳＥＴＥ
ＩＤパックには、ＭＩＣに記録されているデータがカセットのテープ上に記録されているデータと対応しているかどうかを示すフラグＭＥ、メモリ（ＭＩＣ）の種類、メモリのサイズに関する情報、及びテープ厚みの情報（ＰＣ４）が記録される。
【００１９】
また、ＴＡＰＥ  ＬＥＮＧＴＨパックには、ビデオテープにおけるリーダーテープを除いた磁気テープ本体の全長がトラック本数に換算された２３ビットのデータとして記録される。
なお、本実施例のＶＣＲにおいては、テープ上の各記録トラックにテープの先頭から順番に絶対トラック番号が記録されるようになっているが、この絶対トラック番号に関連して同図の（３）に示されるＴＩＴＬＥ  ＥＮＤパックには、テープ上の最終録画位置の絶対トラック番号が記録される。この最終録画位置は、テープ上における記録が行われた領域のうち最もテープエンドに近い位置を意味し、この位置以降は未記録エリアとなる。従って、ＴＩＴＬＥ  ＥＮＤパックに格納される絶対トラック番号と上記のＴＡＰＥ  ＬＥＮＧＴＨパックに格納される絶対トラック番号の値からテープの未記録部分の長さ（残量）を直ちに求めることができる。
【００２０】
なお、テープ上の途中に無記録部分（ブランク）があるときはテープ上の各トラックに記録される絶対トラック番号に不連続部分を生ずることになるが、上記のパック内におけるフラグＢＦは、このパックに記録された絶対トラック番号より前の位置にこのような不連続な部分があるかどうかを示すフラグである。また、フラグＳＬは、この最終記録位置における記録モードがＳＰモード及びＬＰモードのうちいずれであるかを示すフラグであり、最終録画位置から記録動作を再開するときに、このフラグを利用してサーボ系の立ち上がりを早くすることができる。フラグＲＥは、テープ上に消去してはならない録画内容が存在するかどうかを示すフラグである。
【００２１】
同図の（４）、（５）、及び図８の（１）に示されるパックは、そのアイテムから分かるように図６におけるプログラムのグループに属するものであり、上記の（４）のＰＲＯＧＲＡＭ  ＳＴＡＲＴパック及び（５）のＰＲＯＧＲＡＭ  ＥＮＤパックには、テープ上に記録された各プログラムの開始位置及び終了位置が記録される。即ち、これらのパックの２番目〜４番目のバイト（ＰＣ１〜ＰＣ３）には、それぞれ、プログラム開始点及びプログラム終了点が２３ビットの絶対トラック番号によって格納される。
【００２２】
なお、ＰＲＯＧＲＡＭ  ＳＴＡＲＴパックのＰＣ４におけるフラグＴＥＸＴは、このプログラムについてのテキスト情報がＭＩＣ上に記録されているかどうかを表すフラグである（０：テキスト情報あり，１：テキスト情報なし）。但し、このパックがテープ上に記録される場合は、このＴＥＸＴフラグは常に値「１」をとる。また、ＴＴフラグは、ＭＩＣに記録されているテープ記録開始位置データが実際にテープ上に記録されているテープ記録開始位置データと対応しているかどうかを示すフラグである。ＧＥＮＲＥ  ＣＡＴＥＧＯＲＹは、記録内容のジャンル（例えば、「野球」、「映画」、「旅行」、「ドラマ」等）を表すコードである。
【００２３】
また、ＰＲＯＧＲＡＭ  ＥＮＤパック内に格納されているＲＰフラグは、記録内容の消去の可否に関するフラグであり、ＰＤフラグは、タイマー録画等によってこのプログラムを録画した後に１度でも再生したかどうかを示すフラグであり、ＴＮＴコードは、このプログラムに関してＭＩＣ内に記録されているテキストイベント（イベントについては後述する）の個数を表すコードである。なお、以下に説明する他のパックの構造にもＳＬフラグ、ＲＰフラグ、ＴＥＸＴフラグ等の種々のフラグ或いは同一呼称のコードが現れるものがあるが、これらは、いずれも同様の意味を有する。
【００２４】
図８の（１）のＰＲＯＧＲＡＭ  ＲＥＣ  ＤＡＴＥ  ＴＩＭＥパックには、テープ上に記録された当該プログラムの記録年月日、時分、曜日等が記録される。なお、このパック内のＲＭは、記録モードがビデオ、オーディオ等のいずれであるかを示すコードである。
同図の（２）〜（５）、図９、図１０、及び図１２に示されるパックは、図
６におけるカメラのグループに属するパックであり、カメラに関する付随データの記録に使用される。
【００２５】
即ち、図８の（２）のＣＯＮＳＵＭＥＲ  ＣＡＭＥＲＡ１のパックには、ＩＲＩＳ  ＰＯＳＩＴＩＯＮデータ、ＡＧＣデータ（なお、このデータを用いてＧＡＩＮを表すと、ＧＡＩＮ＝−３＋ＡＧＣ×３〔ｄＢ〕で表される）、ＡＥ  ＭＯＤＥデータ（なお、このデータの値に応じて、００００＝Ｆｕｌｌ  Ａｕｔｏ，０００１＝Ｇａｉｎ  Ｐｒｉｏｒｉｔｙ  Ｍｏｄｅ，００１０＝ＳｈｕｔｔｅｒＰｒｉｏｒｉｔｙ  Ｍｏｄｅ，００１１＝Ｉｒｉｓ  Ｐｒｉｏｒｉｔｙ  Ｍｏｄｅ，０１００＝Ｍａｎｕａｌ  のように定義されている）、ＷＨＩＴＥ  ＢＡＬＡＮＣＥデータ（このデータの上位３ビットの値に応じて、０００＝Ｗ．Ｂ．Ａｕｔｏ，  ００１＝Ｗ．Ｂ．Ｈｏｌｄ，  ０１０＝Ｏｎｅｐｕｓｈ，  ０１１＝Ｗ．Ｂ．Ｐｒｅｓｅｔ  のように定義され、また、下位５ビットの値に応じて、０００００＝Ｃａｎｄｌｅ，  ００００１＝Ｉｎｃａｎｄｅｓｃｅｎｔ  Ｌａｍｐ，  ０００１０＝Ｆｌｕｏｒｅｓｃｅｎｔ  ｌａｍｐ  ｏｆ  ｌｏｗ  ｃｏｌｏｒ  ｔｅｍｐｅｒａｔｕｒｅ，  ０００１１＝  Ｆｌｕｏｒｅｓｃｅｎｔｌａｍｐ  ｏｆ  ｈｉｇｈ  ｃｏｌｏｒ  ｔｅｍｐｅｒａｔｕｒｅ，  ００１００＝Ｓｕｎｌｉｇｈｔ，  ００１０１＝Ｃｌｏｕｄｉｎｅｓｓ  のように定義されている）、ＦＯＣＵＳ  ＰＯＳＩＴＩＯＮデータ（このデータのＭＳＢの値が「０」のときはオートフォーカスであることを表し、「１」のときはマニュアルフォーカスであることを表す。また、このデータにおける０ビット及び１ビットのデータをＦＰ〔１−０〕、並びに２〜６ビットのデータをＦＰ〔６−２〕としたとき、フォーカスは
【００２６】
【数１】
0003577733.tif 000002
【００２７】
で与えられる。）が記録される。
【００２８】
同図の（３）のＣＯＮＳＵＭＥＲ  ＣＡＭＥＲＡ２のパックには、Ｖ  ＰＡＮＮＩＮＧデータ（このデータのＭＳＢの値が「０」のときは垂直走査方向のパンニングであることを表し、「１」のときは逆方向のパンニングであることを表す。また、このデータの下位５ビットは、垂直方向のパンニング速度〔ｌｉｎｅ／ｆｉｅｌｄ〕を２進数で表現している。但し、この５ビットの値が１Ｅｈ（１６進数表示）のときは２９ｌｉｎｅｓ／ｆｉｅｌｄより大きい速度であることを表す。）、Ｈ  ＰＡＮＮＩＮＧデータ（このデータのＭＳＢの値が「０」のときは水平走査方向のパンニングであることを表し、「１」のときは逆方向のパンニングであることを表す。また、このデータの下位６ビットは、水平方向のパンニング速度〔ｐｉｘｅｌ／ｆｉｅｌｄ〕の１／２を２進数で表現したものである。但し、１ｐｉｘｅｌは１／１３．５ＭＨｚである。また、この６ビットの値が３Ｅｈのときは１２２ｐｉｘｅｌｓ／ｆｉｅｌｄより大きい速度であることを表す。）、フラグＩＳ（この値が「０」のときはＩｍａｇｅ  ＳｔａｂｉｌｉｚｅｒがＯＮであり、「１」のときはＯＦＦである。）、ＦＯＣＡＬ  ＬＥＮＧＴＨデータ（このデータにおける７〜１ビットのデータをＦＬ〔７−１〕、０ビットのデータをＦＬ〔０〕とするとき、ＦＯＣＡＬ  ＬＥＮＧＴＨは
【００２９】
【数２】
0003577733.tif 000003
【００３０】
として与えられる）、フラグＺＥＮ（この値が「０」のときはＥ−ＺＯＯＭオン、「１」のときはＥ−ＺＯＯＭオフと定義されている）、Ｅ−ＺＯＯＭデータ（Ｅｌｅｃｔｒｉｃ  Ｚｏｏｍの値を表す。上位２ビットがＩｎｔｅｇｒａｌ  Ｐａｒｔを、下位５ビットがＤｅｃｉｍａｌ  Ｐａｒｔを表す。但し、このデータの値が７Ｅｈのときはズーム比が４よりも大きいことを表す。）が記録される。
【００３１】
同図の（４）のＬＥＮＳパックには、ＣＯＮＳＵＭＥＲ  ＣＡＭＥＲＡ１パックの場合と同様に定義されたＦＯＣＵＳ  ＰＯＳＩＴＩＯＮデータ、ＩＲＩＳ
ＰＯＳＩＴＩＯＮデータ（このデータをＩＰと表現するとき、ＩＲＩＳ  ＰＯＳＩＴＩＯＮの値は
【００３２】
【数３】
0003577733.tif 000004
【００３３】
で与えられる。）、ＺＯＯＭ  ＰＯＳＩＴＩＯＮデータ（このデータにおける７〜１ビットのデータをＺＰ〔７−１〕、０ビットのデータをＺＰ〔０〕とするとき、ＺＯＯＭ  ＰＯＳＩＴＩＯＮは
【００３４】
【数４】
0003577733.tif 000005
【００３５】
で与えられる）、ＩＲＩＳ  ＣＯＮＴデータ（このデータの値に応じて、００＝ＡＵＴＯ  ＩＲＩＳ  ＭＯＤＥ，  ０１＝ＯＮＥ  ＰＵＳＨ  ＡＵＴＯ  ＭＯＤＥ，  １０＝ＭＡＮＵＡＬ  ＭＯＤＥと定義されている）、ＥＸＴＥＮＤＥＲデータ（この値の１／４がＥＸＴＥＮＤＥＲのＲａｔｉｏを表す）が記録される。
【００３６】
同図の（５）のＧＡＩＮパックには、ＭＡＳＴＥＲ  ＧＡＩＮデータ（ＭＳＢが「０」のときＡＧＣオンを、「１」のときＡＧＣオフを表す。）、Ｒ  ＧＡＩＮデータ、Ｂ  ＧＡＩＮデータ、ＣＣ  ＦＩＬＴＥＲデータ（このコードの値に応じてつぎのようにＣｏｌｏｒ  Ｃｈａｎｇｅ  Ｆｉｌｔｅｒが定義されている。
【００３７】
【数５】
0003577733.tif 000006
【００３８】
）、ＮＤ  ＦＩＬＴＥＲデータ（このデータの値をＮＦとするとき、Ｒａｔｉｏは次のように表される。
【００３９】
【数６】
0003577733.tif 000007
【００４０】
）が記録される。
【００４１】
図９の（１）のＰＥＤＥＳＴＡＬパックには、Ｇ，Ｒ，Ｂの各ペデスタルのデータ（これらのデータはペデスタルのオフセット値を表し、これらのデータが８０ｈのときはオフセットが０％（即ち、プリセット値）で、かつ、Δ１ＬＳＢは０．２５％に対応する。但し、このパック内のＰＣ４のフラグＱＦの値が「０」のときは、Δ１ＬＳＢは０．０６２５％に対応する。）、及びフラグＱＦ（このフラグが「０」のときは、ＰＣ１〜ＰＣ３の各ＰＥＤＥＳＴＡＬデータに対してＰＣ４のＢＰ，ＲＰ，ＧＰがそれぞれ下位の２ビットとして付け加えられる。）が記録される。
【００４２】
同図の（２）のＧＡＭＭＡパックには、Ｇ，Ｒ，Ｂの各ガンマのデータ（これらのデータの値に応じてガンマの値は、００ｈのとき０．３０、８０ｈのとき０．４５（プリセット値）、ＦＥｈのとき０．６０を表す。また、各データにおけるΔ１ＬＳＢは０．１５／１２８に対応する。但し、このパック内のＰＣ４のフラグＱＦの値が「０」のときは、Δ１ＬＳＢは０．１５／５１２に対応する。）、及びフラグＱＦ（このフラグが「０」のときは、ＰＣ１〜ＰＣ３の各ＧＡＭＭＡデータに対してＰＣ４のＢＧ，ＲＧ，ＧＧがそれぞれ下位の２ビットとして付け加えられる。）が記録される。
【００４３】
同図の（３）のＤＥＴＡＩＬパックには、ＭＡＳＴＥＲ  ＤＥＴＡＩＬ  ＬＥＶＥＬ，Ｈ（Ｈｏｒｉｚｏｎｔａｌ）ＤＥＴＡＩＬ  ＬＥＶＥＬ，及びＶ（Ｖｅｒｔｉｃａｌ）ＤＥＴＡＩＬ  ＬＥＶＥＬの各データ（これらのデータの値に応じて各ディテールのレベルは、００ｈのとき０％、８０ｈのときプリセット値、ＦＥｈのとき２００％を表す。また、各データにおけるΔ１ＬＳＢは（プリセット値）／１２８に対応する。但し、このパック内のＰＣ４のフラグＱＦの値が「０」のときは、Δ１ＬＳＢは（プリセット値）／５１２に対応する。）、フラグＱＦ（このフラグが「０」のときは、ＰＣ１〜ＰＣ３の各ＤＥＴＡＩＬデータに対してＰＣ４のＤＬ，ＨＤ，ＶＤがそれぞれ下位の２ビットとして付け加えられる。）が記録される。
【００４４】
同図の（４）及び（５）のＣＡＭＥＲＡ  ＴＥＸＴ  ＨＥＡＤＥＲパック及びＣＡＭＥＲＡ  ＴＥＸＴパックは、カメラに関するテキストデータを記録するためのパックであり、ＣＡＭＥＲＡ  ＴＥＸＴ  ＨＥＡＤＥＲパックには、このパックに後続して記録されるテキストデータの総数（ＴＤＰ）、ＴＥＸＴ  ＴＹＰＥデータ（このデータはテキストデータの属性を表す。このデータの値に応じて、０＝Ｎａｍｅ，１＝Ｍｅｍｏ，２＝Ｓｔａｔｉｏｎ，３＝Ｍｏｄｅｌ，４＝Ｌｅｎｓ，５＝Ｆｉｌｔｅｒ，６＝Ｏｐｅｒａｔｏｒ，８＝Ｏｕｔｌｉｎｅ，Ｃ＝１−Ｂｙｔｅ  ｃｏｄｅｄ  Ｆｏｎｔ，Ｄ＝２−Ｂｙｔｅ  ｃｏｄｅｄ  Ｆｏｎｔ，Ｅ＝Ｇｒａｐｈｉｃと定義されている。）、ＴＥＸＴ  ＣＯＤＥデータ（テキストデータのテキストコード（ＪＩＳ、シフトＪＩＳ等））、テキストコードに関するオプショナルコードであるＯＰＮが記録される。
【００４５】
なお、このＴＥＸＴ  ＨＥＡＤＥＲパックに後続して記録されるテキストデータは、具体的には次に述べるＴＥＸＴパックに格納されて記録されるので、上記のＴＤＰの値としてこのテキストパックの個数が格納される。但し、ＭＩＣにテキストデータを記憶する場合には、記憶容量の小さいＭＩＣの記憶エリアの使用量を節約するために、ＴＥＸＴパックを用いることなくテキストコードをＴＥＸＴ  ＨＥＡＤＥＲパックのＰＣ４の位置から続けて格納して記録を行い、このＴＥＸＴ  ＨＥＡＤＥＲパックのＰＣ０の位置から最後のテキストデータが記録されるバイト位置までで１個のパックを構成するようにする。
【００４６】
つまり、この場合は、１個のパックの中に記録対象であるテキストデータが全部格納される可変長パックの構造とすることによって、テキストパックを使用する場合に比し、該テキストパックのアイテムコードのバイト数だけＭＩＣの記憶領域を節約することができる。なお、この場合、ＴＤＰの値としてテキストコード数（即ち、バイト数）を格納しておく。これによって、この可変長パックのテキストデータの後に続くパックのアイテムコードの位置を容易に判別することができる。
【００４７】
図９の（５）のＣＡＭＥＲＡ  ＴＥＸＴパックには、テキストデータが４バイトずつ記録される。
図１０の（１）のＣＡＭＥＲＡ  ＰＲＥＳＥＴパックには、ＳＨＵＴＴＥＲ
ＳＰＥＥＤ（１）データ（このデータの値をＳＳＰ１とすれば、シャッタースピードはつぎのように表される。
【００４８】
【数７】
0003577733.tif 000008
【００４９】
）、ＳＨＵＴＴＥＲ  ＳＰＥＥＤ（２）データ（これは、撮像素子における上下の２ラインを同時に読み出す撮像動作の場合の下側のラインのシャッタースピードを表し、このデータの値をＳＳＰ２とすれば、このシャッタースピードはつぎのように表される。
【００５０】
【数８】
0003577733.tif 000009
【００５１】
なお、この場合の上側のラインのシャッタースピードは、上記のＳＨＵＴＴＥＲＳＰＥＥＤ（１）のデータで表される）、ＣＯＮＳＵＭＥＲ  ＳＨＵＴＴＥＲＳＰＥＥＤデータ（このデータの値をＣＳＳとすれば、このシャッタースピードは、１／（ＴＨ×ＣＳＳ）で表される。但し、ＴＨは、１水平走査期間を表す。）が記録される。なお、ＳＨＵＴＴＥＲ  ＳＰＥＥＤ（１）及びＳＨＵＴＴＥＲ  ＳＰＥＥＤ（２）のデータは、業務用のテレビカメラにおけるシャッタースピードデータである。
【００５２】
同図の（２）のＦＬＡＲＥパックには、Ｇ，Ｒ，Ｂの各チャンネルのフレア補正のデータであるＧ  ＦＬＡＲＥ，Ｒ  ＦＬＡＲＥ，Ｂ  ＦＬＡＲＥの各データ（これらのデータの値が８０ｈのとき０％を表し、これらのデータにおけるΔ１ＬＳＢは０．５％に対応する。但し、このパック内のＰＣ４のフラグＱＦの値が「０」のときは、Δ１ＬＳＢは０．１２５％に対応する。）、及びフラグＱＦ（このフラグが「０」のときは、ＰＣ１〜ＰＣ３の各ＦＬＡＲＥデータに対してＰＣ４のＢＦ，ＲＦ，ＧＦがそれぞれ下位の２ビットとして付け加えられる。）が記録される。
【００５３】
同図の（３）及び（４）のＳＨＡＤＩＮＧ−１及びＳＨＡＤＩＮＧ−２のパックには、図１１に示す０〜７の各エリアでの各シェージング補正値を表すＳＨＡＤ  ＣＯＭＰ（１）〜ＳＨＡＤ  ＣＯＭ（７）が記録される。これらのデータは、０ｄＢゲイン状態での補正値を表し、これらの値が４０ｈのときは補正値０％を表し、各データのΔ１ＬＳＢは０．５％に対応する。但し、ＰＣ４のフラグＱＦ２の値が「０」のときは、Δ１ＬＳＢは１％に対応する。また、ＱＦ１，ＱＦ０はチャンネルを示すコードであり、「００」のときＲチャンネル、「０１」のときＧチャンネル、「１０」のときＢチャンネルを表す。
【００５４】
図１２の（１）のＫＮＥＥパックには、ＫＮＥＥ  ＰＯＩＮＴデータ（このデータが８０ｈのとき１００％を表し、このデータのΔ１ＬＳＢは０．２５％に対応する。）、及びＫＮＥＥ  ＳＬＯＰＥデータ（このデータの値に応じてつぎのように定義されている。
【００５５】
【数９】
0003577733.tif 000010
【００５６】
）が記録される。
同図の（２）のＳＨＵＴＴＥＲパックには、前述のＣＡＭＥＲＡ  ＰＲＥＳＥＴパックと同様のデータが記録される。但し、ＴＥＸＴフラグは記録されない。
【００５７】
２）  ＭＩＣの記録エリアの構造
次に、以上に例示したような様々なパックが記録されるＭＩＣの構造について説明する。
図１３に、ＭＩＣの記録エリアのデータ構造を示す。この図に示されるように先頭の１バイトと未使用エリア（ＦＦｈが記録される）を除いてすべてパック構造で記録が行われる。前述のようにテキストデータだけは、可変長のパック構造で、それ以外は５バイト固定長のパック構造である。
【００５８】
ＭＩＣの記録エリアの先頭のアドレス０には、ＭＩＣのデータ構造を規定するＩＤデータであるＡＰＭ３ビットとＢＣＩＤ（Ｂａｓｉｃ  Ｃａｓｓｅｔｔｅ
ＩＤ）４ビットが記録される。ここで、ＢＣＩＤは、基本カセットＩＤであり、ＭＩＣを搭載していないカセットのためのＩＤ認識（テープ厚み、テープ種類、テープグレード）用のＩＤボードと同じ内容である。ＩＤボードは、ＭＩＣ読み取り端子を従来の８ミリＶＴＲのレコグニションホールと同じ役目をさせるもので、これにより従来のようにカセットハーフに穴を空ける必要がなくなる。
【００５９】
アドレス１以降には順に、前述のＣＡＳＳＥＴＥ  ＩＤパック、ＴＡＰＥ  ＬＥＮＧＴＨパック、ＴＩＴＬＥ  ＥＮＤパックの３個のパックが記録される。なお、先頭のアドレス０からこのＴＩＴＬＥ  ＥＮＤパックまでの記録エリアをメインエリアと呼び、このエリアにはどのカセットのＭＩＣにおいてもこれらの決まった内容に関するデータが記録される。
また、このメインエリアに続く記録エリアはオプショナルエリアと呼ばれ、任意個数のイベントから構成される。即ち、メインエリアが、アドレス０から１５まで１６バイトの固定エリアだったのに対し、オプショナルエリアはアドレス１６以降にある可変エリアである。
【００６０】
ここで、イベントとは、通常、複数個のパックから構成された１つのデータグループを意味し、その先頭に位置するパックをイベントヘッダーと言う。このイベントヘッダーとなるパックは、それぞれのイベントの内容に応じて予め特定のパックが決められている。例えば、図７〜図１２において説明したパックの中では、ＰＲＯＧＲＡＭ  ＳＴＡＲＴパックはプログラムイベントのイベントヘッダーとして、ＰＲＯＧＲＡＭ  ＴＥＸＴ  ＨＥＡＤＥＲパックはプログラムについてのテキストイベントのイベントヘッダーとして（但し、ＭＩＣにテキストイベントを記録する場合は、テキストイベントは１個の可変長パックだけで構成される）、ＣＡＭＥＲＡ  ＰＲＥＳＥＴパックはカメライベントのイベントヘッダーとして、それぞれ定義されている。そして、この場合、１つのイベントの中に外のイベントのイベントヘッダーとして定義されているパックを入れることは禁じられている。即ち、１つのイベントヘッダーから始まって次のイベントヘッダーが現れるまでで１つのイベントが構成される。
【００６１】
次に、オプショナルエリアに記録されるイベントの具体例を図１４及び図１の模式図を参照して説明する。図１４には２個のプログラムイベントが示されているが、特に１番目のプログラムイベントはＰＲＯＧＲＡＭ  ＳＴＡＲＴパック、ＰＲＯＧＲＡＭ  ＥＮＤパック、ＰＲＯＧＲＡＭ  ＲＥＣ  ＤＴＩＭＥパック、ＳＨＵＴＴＥＲパック、ＧＡＩＮパック、ＬＥＮＳパックから構成されており、ユーザーは、モード処理マイコンへ指令を出してこれらのパックデータを表示させることにより、テープ上に記録されている所望のプログラムの記録年月日、及び録画の際のカメラのシャッタースピード、ゲイン、レンズの状態等の撮像条件を知ることができる。
【００６２】
なお、シャッタースピードに関するデータを記録するためのパックとしては前述のＣＡＭＥＲＡ  ＰＲＥＳＥＴパックも存在するが、このパックは前述のとおりカメライベントのイベントヘッダーとして定義されているので、このプログラムイベントの中にこのパックを入れることはできず、シャッタースピードに関するデータを記録するためには図１４に示されるようにＳＨＵＴＴＥＲパックを用いなければならない。
【００６３】
また、図１は、２個のプログラムイベントと、それぞれ１個のカメライベント及びテキストイベントを示した図である。ここで、一般にカメライベントは、カメラの制御（設定調整）用のデータを記録するためのイベントとして定義されており、図１４におけるプログラムイベント内に記録されているカメラデータのように単に撮像条件を記録しておいた場合とは異なる目的を持っている。従って、このカメライベントのデータをＭＩＣマイコンを介してモード処理マイコンに解読させ、この解読結果に基づいてカメラの設定を行うことができる。
【００６４】
参考までに、図３に示されるテレビカメラ一体型ＶＣＲにおいてテレビカメラの設定調整を行う場合のフローを図２を用いて説明する。
このテレビカメラ一体型ＶＣＲにおいては、ユーザーは、カメライベント呼出キー或るいはカメラ設定キーをＯＮすることによって、カメラ設定（調整）画面を表示装置に呼び出すことができるように構成されており、モード処理マイコンは、これらの２つのキーのうちのいずれかがＯＮされたかどうかのチェックを常に実行する（ステップＳＴ１及びステップＳＴ５）。
【００６５】
そして、ステップＳＴ１の判断結果がＹＥＳのときは、ＭＩＣマイコン１３を介してＭＩＣ内にカメライベントがあるかどうかをチェックする（ステップＳＴ２）。カメライベントが存在するときは、モード処理マイコンは、これを解読して得た種々のカメラ設定データをユーザーに表示する（ステップＳＴ３）。なお、このとき、ＭＩＣの記録エリアをサーチしてもカメライベントが見つからなかった場合には、ＭＩＣ内に該当イベントが存在しないことをユーザーに表示し（ステップＳＴ４）、次に、ユーザーによってカメラ設定キーがＯＮされたかどうかをチェックする（ステップＳＴ５）。
【００６６】
ステップＳＴ１の判断結果がＮＯで、ステップＳＴ１とステップＳＴ５からなるループを繰り返しているうちにステップＳＴ５においてカメラ設定キーがＯＮされたらステップＳＴ６へ移行して、カメラ設定（調整）用画面をユーザーに表示する。次に、ユーザーは、前述のステップＳＴ３により表示された設定内容、或るいは、ステップＳＴ６において表示された設定画面を見て所望のカメラ設定を行う（ステップＳＴ７）。
【００６７】
この場合、表示されたＭＩＣ内のカメライベントの内容をそのままカメラ設定データとして用いるときには、ステップＳＴ７でマニュアル調整を行うことなく直ちに次のステップＳＴ８へ移行して設定終了キーをＯＮする。
設定終了キーがＯＮされるとカメラ設定データはテレビカメラ側に設けられているカメラ制御マイコンへ転送され、この設定データに基づいてカメラが所望の設定状態にされる（ステップＳＴ９）。この後、撮像を行って目的とする録画が終了したら、ユーザーはカメライベント記録キーをＯＮすることにより、現在の撮像設定条件をカメライベントとしてＭＩＣに記録しておいて再度撮像時に利用することができる（ステップＳＴ１１及び１２）。
【００６８】
なお、このカメライベントの生成及び記録は、具体的には、カメラ制御マイコン４に与えられているカメラ設定データをモード処理マイコン１２が読み取り、このデータをカメライベント生成用データとしてＭＩＣマイコン１３へ供給し、ＭＩＣマイコン１３が、この供給されたデータに基づいてカメライベントを構成するに必要なパックを生成し、この生成された各パックをＭＩＣに記録することによって行われる。また、このフローでは省略してあるが、カメライベント記録キーの操作による撮像設定条件の記録は、ステップＳＴ８の設定終了キーＯＮの後であれば、いつでもできるように構成されている。
【００６９】
以上に説明したフローでは、ユーザーによってカメライベント呼出キーがＯＮされたときのみ、ＭＩＣに記録されているカメライベントが呼び出され、このイベント内容に基づいてカメラ設定を行うことができるように構成されているが、これを更に簡略化して、カセットがＶＣＲに装填されたら自動的にＭＩＣ内のカメライベントのサーチが実行され、このサーチによってカメライベントが発見されたときにはこのイベントの内容に従って自動的にカメラを設定するようにモード処理マイコンのフローを構成することもできる。
【００７０】
本願発明をテレビカメラ一体型ＶＣＲに適用した場合の実施例について説明したが、勿論、本願発明は、このような一体型のものではなく、テレビカメラとＶＣＲが分離している構成の撮像記録システムにも直ちに適用できるものである。なお、このような分離型のシステムの場合には、ユーザーからの種々の入力指令及びデータ入力は、カメラ制御マイコンへ直接入力するように構成し、例えば、ユーザーが手元のテレビカメラを操作しながら、ＭＩＣに記録されているカメラ設定データを呼び出してカメラ設定を行ったり、或るいは、現在撮像中のテレビカメラの設定状態をカメライベントとしてＭＩＣに記録しておくことができるように構成する。
【００７１】
また、本願発明は、このような実施例の外に、様々な構成の変更が可能である。例えば、記録媒体としてテープの外にディスクを用いることも可能であり、また、記録媒体のカセットに搭載される記憶装置として前述のようなＩＣメモリの代わりに、カセットに付設した磁気シート等を使用してもよい。また、具体的応用例としては、以上に説明したテレビカメラとＶＣＲとの組み合わせの外に、例えば、電子スチルカメラ、医療用画像機器等にも直ちに適用できるものである。
【００７２】
【発明の効果】
カメラ設定データを各カセット毎に記憶しておくことができるので、各カセットの内容を録画したときの撮像条件を直ちにカメラに設定することができる。
【図面の簡単な説明】
【図１】ＭＩＣのオプショナルエリアに記録されているデータの１例を示す図である。
【図２】本発明の実施例におけるカメラ設定のフローの１例を示す図である。
【図３】本発明を適用したテレビカメラ一体型ＶＣＲの構成を示す図である。
【図４】カメラ制御マイコンによるテレビカメラの設定調整を説明する図である。
【図５】パックの基本構造を示す図である。
【図６】大アイテムによるパックのグループ分けを示す図である。
【図７】ＣＡＳＳＥＴＴＥ  ＩＤパック、ＴＡＰＥ  ＬＥＮＧＴＨパック、ＴＩＴＬＥＥＮＤパック、ＰＲＯＧＲＡＭ  ＳＴＡＲＴパック、及びＰＲＯＧＲＡＭ  ＥＮＤパックの構造を示す図である。
【図８】ＰＲＯＧＲＡＭ  ＲＥＣ  ＤＡＴＥ  ＴＩＭＥパック、ＣＯＮＳＵＭＥＲ  ＣＡＭＥＲＡ１パック、ＣＯＮＳＵＭＥＲ  ＣＡＭＥＲＡ２パック、ＬＥＮＳパック、及びＧＡＩＮパックの構造を示す図である。
【図９】ＰＥＤＥＳＴＡＬパック、ＧＡＭＭＡパック、ＤＥＴＡＩＬパック、ＣＡＭＥＲＡ  ＴＥＸＴ  ＨＥＡＤＥＲパック、及びＣＡＭＥＲＡ  ＴＥＸＴパックの構造を示す図である。
【図１０】ＣＡＭＥＲＡ  ＰＲＥＳＥＴパック、ＦＬＡＲＥパック、ＳＨＡＤＩＮＧ−１パック、及びＳＨＡＤＩＮＧ−２パックの構造を示す図である。
【図１１】シェージング補正におけるエリア分割を示す図である。
【図１２】ＫＮＥＥパック、及びＳＨＵＴＴＥＲパックの構造を示す図である。
【図１３】ＭＩＣのデータ記録エリアの構造を説明する図である。
【図１４】ＭＩＣのオプショナルエリアに記録されているデータの他の例を示す図である。
【符号の説明】
１        光学系
２        ＣＣＤ
３，７    信号処理回路
４        カメラ制御マイコン
５        撮像装置
６        記録再生装置
８        テープ
９        信号処理マイコン
１０      メカ制御マイコン
１１      回転ドラム
１２      モード処理マイコン
１３      ＭＩＣマイコン
１４      テープカセット
１５      ＭＩＣ
【図１】
0003577733.tif 000011
【図２】
0003577733.tif 000012
【図３】
0003577733.tif 000013
【図４】
0003577733.tif 000014
【図５】
0003577733.tif 000015
【図６】
0003577733.tif 000016
【図７】
0003577733.tif 000017
【図８】
0003577733.tif 000018
【図９】
0003577733.tif 000019
【図１０】
0003577733.tif 000020
【図１１】
0003577733.tif 000021
【図１２】
0003577733.tif 000022
【図１３】
0003577733.tif 000023
【図１４】
0003577733.tif 000024